(57)【特許請求の範囲】
【請求項１】
容器に取付けられる注出口において、
容器外方へ突出する略円筒状の外側筒部と、
容器内部に延びる内側筒部と、
外側筒部の外面に内側筒部側から上方に向って順に複数設けられたフランジと、
外側筒部の外面に設けられるとともに、外側筒部に直交する直交平面上に配置された少なくとも１つの突板とを備え、
突板は直交平面上において、頂角を形成する２辺からなる山形状をなし、突板は各フランジ間に配置され、かつフランジは突板より外方へ突出することを特徴とする注出口。
【請求項２】
突板は異なる直交平面上に、各々複数設けられていることを特徴とする請求項１記載の注出口。
【発明の詳細な説明】
【０００１】
【発明の属する技術分野】
本発明は容器に取付けられる注出口に係り、とりわけ、キャップの装着を容易に行なうことができる注出口に関する。
【０００２】
【従来の技術】
従来より、柔軟容器に取付けられる注出口として、容器内部に延びる内側筒部と、容器外方へ突出する略円筒状の外側筒部とを備えたものが知られている。
【０００３】
このような注出口は内側筒部の外面を容器内面にヒートシールにより固着することにより、容器に取付けられる。容器に取付けられた注出口に対しては、外側筒部にキャップが装着される。
【０００４】
【発明が解決しようとする課題】
注出口の外側筒部には、一般にキャップ装着時に注出口を把持するためのフランジが設けられている。キャップ装着は装着機械を用いて行なうため、装着機械によってはフランジの他に更に簡便な把持手段が設けられているとキャップ装着の際、都合がよい。
【０００５】
本発明はこのような点を考慮してなされたものであり、簡便な把持手段が設けられた注出口を提供することを目的とする。
【０００６】
【課題を解決するための手段】
本発明は、容器に取付けられる注出口において、容器外方へ突出する略円筒状の外側筒部と、容器内部に延びる内側筒部と、外側筒部の外面に内側筒部側から上方に向って順に複数設けられたフランジと、外側筒部の外面に設けられるとともに、外側筒部に直交する直交平面上に配置された少なくとも１つの突板とを備え、突板は直交平面上において、頂角を形成する２辺からなる山形状をなし、突板は各フランジ間に配置され、かつフランジは突板より外方へ突出することを特徴とする注出口である。
【０００７】
本発明によれば、外側筒部の外面に、２辺を有する山形状の突板を設けたので、この突板に把持手段を係合させることによって注出口を容易に把持することができる。
【０００８】
【発明の実施の形態】
以下、図面を参照して本発明の実施の形態について説明する。
【０００９】
図１乃至図４は本発明による注出口の一実施の形態を示す図である。まず図２により注出口の概略について説明する。注出口１０は、例えば飲料水等の内容物を収納した柔軟性の食品容器３０に取付けられるものであり、高密度ポリエチレン（ＨＤＰＥ）等の熱可塑性樹脂を射出成形して得られた成形体からなるものであり、容器３０の内部に延びる内側筒部１１と、容器３０の外方へ突出する外側筒部１５とを備えている。
【００１０】
このうち内側筒部１１は、偏平な筒状をなし、その外面を容器３０の内面にヒートシールすることにより、注出口１０が容器３０に取付けられるようになっている。
【００１１】
また偏平な内側筒部１１には、更に容器３０内に延びて内容物を内側筒部１１側へ導くガイド部１２が一体的に形成されている。
【００１２】
他方、図２に示すように、外側筒部１５は略円筒状をなしており、その外面には内側筒部１５側から上方に向って順にフランジ１６，１７，１８が一体的に形成されている。さらにまた外側筒部１５の先端側にはおねじ２２が設けられ、外側筒部１５のおねじ２２にキャップ２５のめねじ（図示せず）が係合するようになっている。
【００１３】
また外側筒部１５の外面には、フランジ１６とフランジ１７との間に突板１９，２０が設けられ、フランジ１７とフランジ１８との間に突板２１が設けられている。
【００１４】
次にこの突板１９，２０，２１について、図１および図３乃至図５により詳しく説明する。まず外側筒部１５の外面のうちフランジ１６とフランジ１７との間には、外側筒部１５に直交する２つの直交平面Ｐ1 ，Ｐ2 上に各々４つの突板１９，１９，１９，１９と突板２０，２０，２０，２０が設けられている。従って図１に示すように外側筒部１５の外面のフランジ１６，１７間には、平面Ｐ1 ，Ｐ2 に各々４つ、合計８つの突板１９，１９，１９，１９と突板２０，２０，２０，２０が設けられている。
【００１５】
また外側筒部１５の外面のうち、フランジ１７，１８間には、外側筒部１５に直交する直交平面Ｐ3 上に４つの突板２１，２１，２１，２１が設けられている。
【００１６】
次に突板１９，２０，２１の形状について詳述する。図１、図４および図５に示すように、突板１９，２０，２１は略同一形状を有している。すなわち、各突板１９，２０，２１は２辺ａ，ｂを有する山形状をなし、２辺ａ，ｂ間の頂角は約９０°となっている。
【００１７】
そして各々が２辺ａ，ｂを有する山形状の突板１９，２０，２１は、各々平面Ｐ1 ，Ｐ2 ，Ｐ3 上において、外側筒部１５の外面に円周方向に９０°ずつの間隔をおいて４つずつ設けられている。このため各平面Ｐ1 ，Ｐ2 ，Ｐ3 において、図示しない把持手段により突板１９，２０，２１を堅固に把持することができる。
【００１８】
次にこのような構成からなる実施の形態の作用について説明する。
【００１９】
まずヒートシール装置（図示せず）により容器３０の内面に、注出口１０の内側筒部１１外面がヒートシールされて注出口１０が容器３０に取付けられる。次に充填機（図示せず）により、容器３０内に注出口１０から内容物が充填され、容器３０はキャップ装着装置（図示せず）へ送られる。
【００２０】
キャップ装着装置において注出口１０が把持手段により把持され、キャップ２５が注出口１０に装着される。この場合、注出口１０にはその外側筒部１５外面にフランジ１６，１７，１８に加えて、突板１９，２０，２１が設けられているので、各種把持手段を突板１９，２０，２１に係合させることによって容易に注出口１０を把持することができる。
【００２１】
すなわち、注出口１０から容器３０への内容物充填作業、あるいは注出口１０へのキャップ２５のキャップ装着作業は、異なる工場によって行なわれるため、注出口１０の把持手段も各種の態様が考えられる。
【００２２】
本実施の形態によれば、外側筒部１５の外面のうち異なる平面Ｐ1 ，Ｐ2 ，Ｐ3 に各々複数の山形状突板１９，２０，２１を設けたので、各種把持手段を用いても容易かつ簡単に注出口１０を把持することができる。
【００２３】
【発明の効果】
以上のように本発明によれば、外側筒部の外面に設けられた突板に把持手段を係合させることにより、注出口を把持手段により容易に把持することができる。また突板は外側筒部の外面に設けられた山形状のものであり、把持作業が容易となる。
【図面の簡単な説明】
【図１】本発明による注出口の斜視図。
【図２】注出口とキャップと容器を示す全体図。
【図３】注出口の要部拡大図。
【図４】図３のIV線方向断面図。
【図５】図３のＶ線方向断面図。
【符号の説明】
１０  注出口
１１  内側筒部
１５  外側筒部
１６，１７，１８  フランジ
１９，２０，２１  突板
２５  キャップ
３０  容器
Ｐ1 ，Ｐ2 ，Ｐ3   直交平面
ａ，ｂ  辺
【図１】
0003884132.tif 000002
【図２】
0003884132.tif 000003
【図３】
0003884132.tif 000004
【図４】
0003884132.tif 000005
【図５】
0003884132.tif 000006